(57)【要約】【課題】前処理部を対地浮上状態で水平回動可能に支承し、この前処理部を脱穀部の前方に位置する刈り取り作業姿勢と、脱穀部の前方を開放する開放姿勢とに切り換えることができるコンバインにおいて、当該前処理部を支承する横入力伝動筒の基端部の強度アップを図る。【解決手段】前処理部１１と縦伝動筒２４及び横入力伝動筒２１とを、脱穀部１２前方に設けた縦軸心Ｘ周りに一体的に水平回動可能に支承し、当該前処理部１１を脱穀部１２の前方に位置する刈り取り作業姿勢と、脱穀部１２の前方を開放する開放姿勢とに切り換え可能に構成すると共に、一端を前記縦軸心Ｘ近傍の横入力伝動筒２１に連結し、他端を前処理部１１に連結してなる補強部材４１を設けた。【選択図】図２
2006101754.tif 000002
【特許請求の範囲】
【請求項１】
穀稈を刈り取って脱穀部（１２）に搬送供給する前処理部（１１）を、該前処理部（１１）の後部に前下がり傾斜で斜設した縦伝動筒（２４）に支持し、且つ該縦伝動筒（２４）の基端部を固設した横入力伝動筒（２１）を回動中心として前処理部（１１）を昇降可能に支承すると共に、該前処理部（１１）と縦伝動筒（２４）及び横入力伝動筒（２１）とを、脱穀部（１２）前方に設けた縦軸心（Ｘ）周りに一体的に水平回動可能に支承し、当該前処理部（１１）を脱穀部（１２）の前方に位置する刈り取り作業姿勢と、脱穀部（１２）の前方を開放する開放姿勢とに切り換え可能に構成したコンバインにおいて、一端を前記縦軸心（Ｘ）近傍の横入力伝動筒（２１）に連結すると共に、他端を前処理部（１１）に連結してなる補強部材（４１）を設けたことを特徴とするコンバイン。
【請求項２】
補強部材（４１）を筒体で構成すると共に、当該補強部材（４１）の内部に機体側から前処理部（１１）に至る注油ホース、及び電気配線等の可撓性部材（４２）を配策したことを特徴とする請求項１に記載のコンバイン。
【発明の詳細な説明】
【技術分野】
【０００１】
本発明は、前処理部を水平回動可能に支承して、当該前処理部が脱穀部の前方に位置する刈り取り作業姿勢と、脱穀部の前方を開放する開放姿勢とに切り換えることができるように構成したコンバインに関する。
【背景技術】
【０００２】
従来のコンバインにおいては、穀稈を刈り取って脱穀部に搬送供給する前処理部を対地浮上状態で水平回動可能に支承して、当該前処理部が脱穀部の前方に位置する刈り取り作業姿勢状態と、脱穀部の前方を開放する開放姿勢状態とに切り換えることができるように構成することによって、刈り取り作業中に前処理部を構成する掻き込み装置や扱ぎ深さ搬送装置等に穀稈の詰まりが発生した際は、上述の如く前処理部を開放姿勢状態として詰まった穀稈の除去作業の容易化を図ると共に、前処理部と機体フレームの連結部付近に位置する諸装置のメンテナンス性を向上させたものが知られている（例えば、特許文献１参照。）。
【特許文献１】特開２００２−４４号公報（第３−４頁、図３）
【発明の開示】
【発明が解決しようとする課題】
【０００３】
しかし、上述した特許文献１に提案されているものでは、平面視で前処理部の略中央に設けられると共に側面視で前処理部の後部に右上がり傾斜で斜設した縦伝動筒と、この縦伝動筒の基端部に略直交状態で固設した横入力伝動筒によって前処理部が支持されており、当該前処理部を対地浮上状態で水平回動させる際、その支承部である横入力伝動筒の基端部には、前処理部の重量に起因する大きな前倒れモーメントが生じることから強度上の不安を有していた。
【課題を解決するための手段】
【０００４】
本発明は、上記課題を解決することを目的としたものであって、穀稈を刈り取って脱穀部に搬送供給する前処理部を、該前処理部の後部に前下がり傾斜で斜設した縦伝動筒に支持し、且つ該縦伝動筒の基端部を固設した横入力伝動筒を回動中心として前処理部を昇降可能に支承すると共に、該前処理部と縦伝動筒及び横入力伝動筒とを、脱穀部前方に設けた縦軸心周りに一体的に水平回動可能に支承し、当該前処理部を脱穀部の前方に位置する刈り取り作業姿勢と、脱穀部の前方を開放する開放姿勢とに切り換え可能に構成したコンバインにおいて、一端を前記縦軸心近傍の横入力伝動筒に連結すると共に、他端を前処理部に連結してなる補強部材を設けたことを第１の特徴としている。
【０００５】
そして、補強部材を筒体で構成すると共に、当該補強部材の内部に機体側から前処理部に至る注油ホース、及び電気配線等の可撓性部材を配策したことを第２の特徴としている。
【発明の効果】
【０００６】
請求項１の発明によれば、前処理部と縦伝動筒及び横入力伝動筒とを、脱穀部前方に設けた縦軸心周りに一体的に水平回動可能に支承し、当該前処理部を脱穀部の前方に位置する刈り取り作業姿勢と、脱穀部の前方を開放する開放姿勢とに切り換え可能に構成したコンバインにおいて、一端を前記縦軸心近傍の横入力伝動筒に連結すると共に、他端を前処理部に連結してなる補強部材を設けたことによって、当該前処理部を対地浮上状態で水平回動させる際、その支承部である横入力伝動筒の基端部に生じる大きな前倒れモーメントを、前記縦伝動筒と補強部材によって強固に支持することができるので強度上の不具合を解消できる。
【０００７】
そして、請求項２の発明によれば、補強部材を筒体で構成することにより重量増加を殆ど伴わずに補強効果が得られると共に、当該補強部材の内部に機体側から前処理部に至る注油ホース、及び電気配線等の可撓性部材を配策したことによって、これらの可撓性部材が他部品と接触して損傷することを回避できるようになる。
【発明を実施するための最良の形態】
【０００８】
次に、本発明の実施の形態を図面に基づいて説明する。図１及び図２は、本発明が適用されるコンバイン１０の側面図と平面図であって、該コンバイン１０は、穀稈を刈取る前処理部１１と、刈取った穀稈から穀粒を脱穀し、この穀粒を選別する脱穀部１２と、選別済みの穀粒を貯留する穀粒タンク１３と、脱穀済みの排稈を排出処理する後処理部１４と、オペレーターが着座する運転席１５と各種の操作具とを備える操縦部１６と、左右一対のクローラ走行装置１７Ｌ，１７Ｒを走行方向に沿わせて配設した機体フレーム１８を有している。
【０００９】
更に詳しくは、前処理部１１の後部には横入力伝動筒２１が横設してあって、この横入力伝動筒２１の左右両端部を機体フレーム１８の一側、即ち脱穀部１２前方に設けた左右の下部ホルダ２２，２２と、該下部ホルダ２２，２２を閉蓋する上部ホルダ２３，２３を介して回動可能に支承している。そして、横入力伝動筒２１の右端部（操縦部１６側）には図示しない入力プーリが設けてあり、この入力プーリに巻回した伝動ベルトを介してエンジンからの動力が入力され、その動力が、前記横入力伝動筒２１に基端部を固設すると共に前処理部の後部に前下がり傾斜で斜設した縦伝動筒２４を介して、引起装置２５、穀稈の株元を切断する刈刃、刈り取った穀稈を後方の脱穀部１２に向けて搬送する穂先側搬送装置等に伝達されるようになっている。
【００１０】
また、縦伝動筒２４の略中間部と機体フレーム１８の間には油圧シリンダ２８が連結してあり、この油圧シリンダ２８を伸縮作動させることによって前処理部１１の昇降動作を可能にしている。そして、縦伝動筒２４の下端には、前処理部１１を構成する横伝動筒３１を、縦伝動筒２４に略Ｔ字状に固設すると共に機体フレーム１８の左右方向に延設してあって、当該横伝動筒３１により前処理部１１の下部を一体的に支持している。
【００１１】
また、脱穀部１２左側前方の機体フレーム１８上には筒状の支持部材３２が固設してあって、この支持部材３２の縦軸心Ｘ周りに前処理部１１と縦伝動筒２４、及び横入力伝動筒２１とを一体的に水平回動可能に支承すべく、当該支持部材３２に嵌挿する支軸３３を一側下部に備えると共に、該支軸３３と前記横入力伝動筒２１の左右両端部を支承する下部ホルダ２２，２２とを一体に固設した支持構造体３４を設けることによって、前処理部１１を水平回動可能に支承している。
【００１２】
更に、上述の如く前処理部１１と縦伝動筒２４及び横入力伝動筒２１とを、一体的に水平回動可能に支承する脱穀部１２前方に設けた縦軸心Ｘの近傍には、前処理部１１を支持する縦伝動筒２４の基端部を固設した横入力伝動筒２１に一端を連結すると共に、他端を前処理部１１の下部を支持する横伝動筒３１に連結してなる補強部材４１を設けてあり、前処理部１１を対地浮上状態で水平回動させる際、その支承部である横入力伝動筒２１の基端部に生じる大きな前倒れモーメントを、前記縦伝動筒２４と補強部材４１によって強固に支持することができるので強度上の不具合が解消され、当該前処理部１１を脱穀部１２の前方に位置する刈り取り作業姿勢と、脱穀部１２の前方を開放する開放姿勢とにスムーズに切り換えることができる。
【００１３】
そして、前記補強部材４１を筒体で構成することにより重量増加を殆ど伴わずに補強効果が得られると共に、当該補強部材４１の内部に機体側から前処理部１１に至る注油ホース及び電気配線等の可撓性部材４２を配策したことによって、これらの可撓性部材が他部品と接触して損傷することを回避できるようになる。
【００１４】
尚、前処理部１１を対地浮上状態で水平回動させる際は、機体フレーム１８と縦伝動筒２４の略中間部との間に連結されている油圧シリンダ２８の一側を取り外さなければならず、この際、図３に示す如く前処理部１１の下降を防止するためのストッパー４５を、上述した支持構造体３４を構成する左右の下部ホルダ２２，２２間に横設した連結部材４６に容易に着脱できるようにしている。
【００１５】
詳述すると、縦伝動筒２４基端部の下方位置に対応する連結部材４６には、ストッパー４５を取り付けるための一対の支持プレート４６ａ，４６ａが固設してあり、両支持プレート４６ａ，４６ａの間にストッパー４５の基端部側（孔４５ａ）を嵌挿した状態で、当該ストッパー４５をピン４７とノブ付ボルト４８を介して、両支持プレート４６ａ，４６ａに取り付けることができるようにしてある。尚、ピン４７の一端側に設けたプレート４７ａは、このプレート４７ａ側の支持プレート４６ａに固設したストッパープレート４９と当接し、それによって図５に示す如くストッパー４５の先端側の下方回動に対する回り止めがなされ、確実に縦伝動筒２４（前処理部１１）の下降を防止することができる。
【図面の簡単な説明】
【００１６】
【図１】コンバインの側面図。
【図２】コンバインの平面図。
【図３】縦伝動筒の下降を防止するストッパーの取り付け手順を示す斜視図。
【図４】縦伝動筒の下降を防止するストッパーを取り付けた状態を示す要部斜視図。
【符号の説明】
【００１７】
１１  前処理部
１２  脱穀部
１８  機体フレーム
２１  横入力伝動筒
２４  縦伝動筒
４１  補強部材
４２  可撓性部材
Ｘ    縦軸心
【図１】
2006101754.tif 000003
【図２】
2006101754.tif 000004
【図３】
2006101754.tif 000005
【図４】
2006101754.tif 000006